(57)【要約】  ハンドル、本体（２０、４２）から延在する喉頭鏡ブレード（２２）、及び前記本体（２０、４２）の近位端から延在するディスプレイ画面収容部（１８）を含む前記本体（２０、４２）を含む喉頭鏡（１０）。喉頭鏡（１０）は、本体（２０、４２）の各々の少なくとも部分を画定する少なくとも１つの単一筐体コンポーネント（１２）、喉頭鏡ブレード（２２）及びディスプレイ画面収容部（１８）を含む。
2018515273.tif 000002
【特許請求の範囲】
【請求項１】
ハンドル、本体の遠位端から延在する喉頭鏡ブレード、及び、前記本体の近位端から延在するディスプレイ画面収容部を有する、前記本体を含み、
喉頭鏡は、前記本体の各々の少なくとも部分を画定する少なくとも１つの統合された筐体コンポーネント、前記喉頭鏡ブレード及び前記ディスプレイ画面収容部を含む、
喉頭鏡。
【請求項２】
前記喉頭鏡は、少なくとも２つの統合された筐体コンポーネントを含み、
前記筐体コンポーネントの少なくとも１つは、前記ディスプレイ画面収容部、前記喉頭鏡の前記本体及び前記喉頭鏡ブレードの各々を少なくとも部分的に画定する、
請求項１に記載の喉頭鏡。
【請求項３】
前記喉頭鏡は、少なくとも２つの統合された筐体コンポーネント、前記本体、前記喉頭鏡ブレード、及び、前記ディスプレイ画面収容部の各々の少なくとも部分を画定する第１筐体コンポーネント、及び、前記本体及び前記ディスプレイ画面収容部の少なくとも部分を画定する第２筐体コンポーネントを含む、
請求項１または請求項２に記載の喉頭鏡。
【請求項４】
前記第２筐体コンポーネントは、前記喉頭鏡ブレードの少なくとも部分を画定し、前記喉頭鏡ブレードは、少なくとも前記第１筐体コンポーネント及び第２筐体コンポーネントによって画定される、
請求項３に記載の喉頭鏡。
【請求項５】
前記ディスプレイ画面収容部はディスプレイ画面コンポーネントを含み、
複数の筐体コンポーネントは、前記ディスプレイ画面コンポーネントを収容するように統合される、
請求項１〜請求項４の何れか１項に記載の喉頭鏡。
【請求項６】
前記筐体コンポーネントは、開口を画定し、前記開口を介して、画面コンポーネントを視認可能である、
請求項５に記載の喉頭鏡。
【請求項７】
前記画面コンポーネントは、前記筐体コンポーネントによって画定される前記開口を横切って、全体的に、または、少なくとも部分的に延在するディスプレイ画面と共に配置されている、
請求項６に記載の喉頭鏡。
【請求項８】
前記喉頭鏡は少なくとも２つの側部筐体コンポーネントを含み、
前記本体及び前記喉頭鏡ブレードと実質的に交差する中間平面に対して、少なくとも部分的に前記喉頭鏡のディスプレイ画面収容部及び前記本体の各々の側部を画定する、
請求項１〜請求項７の何れか１項に記載の喉頭鏡。
【請求項９】
前記喉頭鏡は、後方筐体コンポーネントを含み、
ディスプレイ画面コンポーネントのディスプレイ画面を通して視認可能な開口を画定する、
請求項８に記載の喉頭鏡。
【請求項１０】
前記喉頭鏡は第１及び第２の側方筐体コンポーネント及び挿入された後方筐体コンポーネントを含む、
請求項１〜請求項９の何れか１項に記載の喉頭鏡。
【請求項１１】
前記喉頭鏡ブレードは少なくとも第１及び第２筐体コンポーネントで画定される、
請求項１〜請求項１０の何れか１項に記載の喉頭鏡。
【請求項１２】
使用する際に、ユーザの手のひらを受け入れるハンドル、本体の遠位端から延在する喉頭鏡ブレード、及び、前記本体の近位端から延在するディスプレイ画面収容部を含む、前記本体と、
ディスプレイ画面コンポーネントを収容する前記ディスプレイ画面収容部と、
使用する際に、前記ユーザの親指及び人差し指を少なくとも受け入れる把持部と、
を含み、
前記把持部は、前記ディスプレイ画面コンポーネント及び前記ハンドルの間に配置されている、
喉頭鏡。
【請求項１３】
前記把持部は、前記喉頭鏡の前記ディスプレイ画面収容部の部分及び／または前記本体の部分で画定されている、
請求項１２に記載の喉頭鏡。
【請求項１４】
前記把持部は、前記ディスプレイ画面コンポーネント及び前記ハンドルの間に、前記喉頭鏡の周囲に延在する、前記喉頭鏡の外面を含む、
請求項１２または請求項１３に記載の喉頭鏡。
【請求項１５】
前記把持部は、使用する際に、ユーザの親指の少なくとも部分を受け入れる親指受け入れ面を含む、
請求項１２〜請求項１４の何れか１項に記載の喉頭鏡。
【請求項１６】
前記親指受け入れ面は使用するユーザに向かう面である、
請求項１５に記載の喉頭鏡。
【請求項１７】
前記把持部の前記親指受け入れ面は、ユーザの親指の少なくとも部分で係合する配置形状を含み、
前記配置形状は、前記ディスプレイ画面コンポーネントに向かう前記親指の長手方向の移動を妨げる、
請求項１６に記載の喉頭鏡。
【請求項１８】
前記配置形状は、使用する際、前記ユーザの親指の少なくとも部分と接触する当接面を含み、
前記当接面は、前記親指の横方向の移動を妨げる形状、及び、ユーザの親指の先端の幅より広い幅を有する、
請求項１７に記載の喉頭鏡。
【請求項１９】
前記当接面は、前記ユーザの手に向かう、前記親指の先端に対して少なくとも部分的に後方に延在する外領域を有する、
請求項１８に記載の喉頭鏡。
【請求項２０】
前記把持部は、使用する際、ユーザの人差し指を受け入れる指受け入れ面を含む、
請求項１２〜請求項１９の何れか１項に記載の喉頭鏡。
【請求項２１】
前記指受け入れ面は、使用する際、ユーザに向かない面を含む、
請求項２０に記載の喉頭鏡。
【請求項２２】
前記指受け入れ面は、前記ディスプレイ画面コンポーネント及び前記ハンドルに向かうユーザの指の移動を妨げる、
請求項２０または請求項２１に記載の喉頭鏡。
【請求項２３】
前記指受け入れ面は、使用する際、ユーザの人差し指の少なくとも部分を受け入れる窪みを含み、
前記窪みは、縁または上方への突出によって、両方の側面と接する、
請求項２０〜請求項２２の何れか１項に記載の喉頭鏡。
【請求項２４】
前記ディスプレイ画面収容部は、前記喉頭鏡の少なくとも前記本体と一体的に形成されている、
請求項１２〜請求項２３の何れか１項に記載の喉頭鏡。
【請求項２５】
前記ディスプレイ画面収容部及び／または前記ディスプレイ画面コンポーネントは、前記喉頭鏡の前記本体を分解せずに、前記喉頭鏡の本体から取り外しができない、
請求項１２〜請求項２４の何れか１項に記載の喉頭鏡。
【請求項２６】
前記喉頭鏡は、前記喉頭鏡の前記ディスプレイ画面収容部の部分及び前記喉頭鏡の本体の部分を画定する少なくとも１つの筐体コンポーネントを含む、
請求項１２〜請求項２５の何れか１項に記載の喉頭鏡。
【請求項２７】
前記喉頭鏡は、ディスプレイ画面コンポーネントに画像信号を送信するカメラを含む、
請求項１〜請求項２６の何れか１項に記載の喉頭鏡。
【請求項２８】
前記喉頭鏡ブレードは、Ｌ形状ガイドを形成するように配置されているブレード部及びカメラ収容部を含む、
請求項２７に記載の喉頭鏡。
【請求項２９】
前記喉頭鏡は、前記カメラ及び画面を初期化するためにだけ使用されるマイクロプロセッサを含む、
請求項２８に記載の喉頭鏡。
【請求項３０】
ディスプレイ画面コンポーネントと、
前記ディスプレイ画面コンポーネントに画像を伝送するカメラと、
前記ディスプレイ画面コンポーネント及び／または前記カメラを初期化するマイクロコントローラと、
を含み、
前記マイクロコントローラは、使用する際、前記カメラ及び前記ディスプレイ画面コンポーネントの間で伝送される何れのデータも処理しない、
喉頭鏡。
【請求項３１】
前記ディスプレイ画面コンポーネント及び前記カメラは、前記マイクロコントローラによって画像データの処理をする必要なく、互いに協働する、
請求項３０に記載の喉頭鏡。
【請求項３２】
ディスプレイ画面の初期化は、前記ディスプレイ画面の電力制御設定、前記カメラから受信される入力信号の形態、画像データのフォーマット、及び、前記マイクロコントローラ及び前記ディスプレイ画面コンポーネントの間のインターフェイスの形態の何れか、または、何れかの組み合わせに関する情報を前記マイクロコントローラが前記ディスプレイ画面に提供する、ことを含む、
請求項３０または請求項３１に記載の喉頭鏡。
【請求項３３】
前記カメラから受信される前記画像データ及び／または前記入力信号の形態に関する前記情報は、方向、サイズ、カラー、画素配置、例えば、ガンマ補正などの画像補正、及び全体画像データフォーマットの何れか、または、何れかの組み合わせに関する情報を含む、
請求項３２に記載の喉頭鏡。
【請求項３４】
前記カメラの初期化は、前記カメラの電力制御設定、前記カメラのレンズ設定、ディスプレイ画面に提供される出力信号の形態、画像データの形態及び前記カメラによる何れかの画像処理、及び、前記マイクロコントローラ及び前記カメラの間のインターフェイスの形態の何れか、または、何れかの組み合わせに関する情報を、前記マイクロコントローラが前記カメラに提供する、
請求項３０〜請求項３３の何れか１項に記載の喉頭鏡。
【請求項３５】
前記カメラに提供される前記画像データ及び／または前記出力信号の形態に関する前記情報は、方向、サイズ、カラー、画素配置、画像補正及び全体画像データフォーマットの何れか、または何れかの組み合わせに関する情報を含み得る、
請求項３４に記載の喉頭鏡。
【請求項３６】
ディスプレイ画面及び前記カメラは、例えば、初期化の間、同一の入力電圧が供給されるように適応されている、
請求項３０〜請求項３５の何れか１項に記載の喉頭鏡。
【請求項３７】
前記カメラによってディスプレイ画面に供給される画像データは、３２０×２４０及び６４０×４８０の間の大きさを有する、
請求項３０〜請求項３６の何れか１項に記載の喉頭鏡。
【請求項３８】
前記喉頭鏡は一回限りの使用で廃棄可能な喉頭鏡である、
請求項１〜請求項３７の何れか１項に記載の喉頭鏡。
【発明の詳細な説明】
【技術分野】
【０００１】
本発明は喉頭鏡に関し、詳細には、ビデオカメラコンポーネントを有する喉頭鏡に関する。
【背景技術】
【０００２】
一般的に、喉頭鏡は、ハンドル及び、ある範囲の患者に適応可能な、ある範囲の形状及びサイズで提供され得る、交換可能なブレードを有する。従来、ハンドル及びブレードは再使用可能であり、これらのコンポーネントは連続的な使用の合間に滅菌され得る。しかしながら、一般的な傾向は、医療施設における感染リスクを低減する廃棄可能なプロダクトに向かっている。従来技術においても、一回限り使用される喉頭鏡が提供されているが、廃棄可能な喉頭鏡へのシフトは、医療施設または医療機関のための存続可能な継続的ソリューションを提供するために製造コストをよりコントロールする必要を生じる。したがって、廃棄可能なプロダクトの機能的な属性のいくつかは、シンプルで費用効果を有するプロダクトデザインに適応するために妥協され得る。
【０００３】
従来の喉頭鏡は、例えば、患者の気管挿管において使用される。挿管の一般的な方法は、患者の口を介して気管チューブを気管に挿入することを必要とする。経口気管内挿管は、例えば、患者に機械的に空気を提供することが必要とされる場合に、必要とされ得る。挿管する際の視覚的な支援として喉頭鏡を使用することは、一般に、実用的である。しかしながら、従来の喉頭鏡は、オペレータと患者の気管との間の直線的な見通し線を必要とし、使用の際に、直線的な見通し線を確保することは困難であり得る。さらに、患者の声門及び／または喉頭蓋は、使用の際、喉頭鏡のオペレータの視界を妨げ得る。
【０００４】
気管挿管の際、オペレータが明確な視界を取得することができるように、光学装置を有する喉頭鏡を使用する従来技術が知られている。詳細には、喉頭鏡のブレードにビデオカメラを組み込み、挿管プロシージャの際に見られ得るディスプレイにカメラから画像を伝送することが知られている。このようなディスプレイは、喉頭鏡から離隔していてもよいし、喉頭鏡に搭載されていてもよい。
【発明の概要】
【発明が解決しようとする課題】
【０００５】
ディスプレイが喉頭鏡に搭載されている場合、ディスプレイは大きく、喉頭鏡の本体の外側に延在する場合が多いため、喉頭鏡が大きくなる原因となり、必要とされる、オペレータの直線的な見通し線を妨げる。さらに、このようなディスプレイは、一般的に高価であり、それゆえ、一般的に、挿管プロシージャが行われる毎に滅菌され、再使用され得るコンポーネントである。これは、医療施設内での感染リスク増大の原因となり得、ディスプレイと喉頭鏡との間の取り外し可能な搭載の必要性は、一般的にデバイスの製造コストを増大させる。
【０００６】
上記及び／または他の従来技術に関連する不利益を解消する、または、実質的に低減する改善された喉頭鏡を提供する。
【課題を解決するための手段】
【０００７】
本発明の第１の態様によれば、使用する際、ユーザの手のひらを受け入れるハンドル、本体の遠位端から延在する喉頭鏡ブレード、本体の近位端から延在するディスプレイ画面収容部、使用する際、ユーザの手の人差し指及び親指を少なくとも受け入れる把持部を有する本体を含み、把持部はハンドル及びディスプレイ画面収容部の中間に配置される、喉頭鏡が提供される。本発明の第１態様による喉頭鏡は、本体の近位端から延在するディスプレイ画面収容部、及び、ユーザの手の人差し指及び親指を少なくとも受け入れ、ディスプレイ画面収容部及びハンドルの中間に配置されている、把持部を含む点で有利である。詳細には、本発明は、コンパクトで、廃棄可能なデバイスとして使用するのに適する低価格なデバイスを提供することができる。当該デバイスは、コンパクトで、低価格なデバイスとなることを意図した従来技術のデバイスと比較して改善された移動を提供するバランスのとれたグリップをユーザに提供する。
【０００８】
把持部は、喉頭鏡のディスプレイ画面収容部の部分及び／または本体の部分によって画定され得る。ディスプレイ画面収容部及びハンドルの間に、喉頭鏡の周囲に延在し得る、喉頭鏡の外面を含み得る。把持部は、ディスプレイ画面収容部及びハンドルの間で、把持部が幅方向に低減するように、次第に細くなり得る。即ち、把持部は、ユーザのグリップを受け入れる人間工学的形状面を有し得る。
【０００９】
把持部の親指受け入れ面は、使用する際、ユーザの親指の部分を少なくとも受け入れる形状及び／またはサイズを有し得る。例えば、把持部の親指受け入れ面は親指の少なくとも部分によって接触され得る。把持部の親指受け入れ面によって受け入れられる親指の少なくとも部分は、親指のパッド、例えば、親指の遠位パッドであってよい。
【００１０】
制御を改善するために、ハンドル及び把持部は、喉頭鏡の長手方向軸、例えば、喉頭鏡の本体の近位端及び遠位端の間で、喉頭鏡のブレード及び本体と実質的に交差する中間面に平行に、延在する長手方向軸と実質的に平行に親指が延在するように、配置され得る。ハンドル及び把持部は、ブレードの延在方向に対して実質的に交差し、把持部の親指受け入れ面に親指の遠位パッドが接触するように、配置され得る。親指は、把持部の親指受け入れ面に接触する際、完全に伸ばされ得る。
【００１１】
親指受け入れ面は、使用する際、ユーザに向かい、したがって、ブレードの延在方向と反対の方向に向かう面であってよい。親指受け入れ面は、実質的にフラット、または、少なくとも部分的にカーブしてもよく、例えば、少なくとも１つの軸における窪みであってよい。親指受け入れ面は、ユーザの親指の幅と少なくとも等しいか、好ましくは、ユーザの親指の幅よりも広く、ユーザの親指の幅より、例えば、少なくとも５０％または１００％広くてもよい。
【００１２】
把持部の親指受け入れ面は、ユーザの親指の少なくとも部分に係合する位置形状を含み得る。位置形状は、少なくとも一つの方向に、親指受け入れ面に沿った、ユーザの親指の長手方向の移動に逆らうように適用され得る。位置形状は、ディスプレイ画面コンポーネントに向かうユーザの親指の長手方向の移動に逆らうように、適用され得る。位置形状は、使用する際、ユーザの親指の先端または親指の少なくとも部分に接触する当接面を含み得る。位置形状は、例えば、上方への突出、隆起、畝などの形態を有し得る。
【００１３】
当接面は、ユーザの親指の先端の幅と実質的に等しい、または、ユーザの親指の先端の幅より好ましくは広く、親指の横方向の移動に逆らう形状を有し得る。当接面は、ユーザの手に向かう、親指の先端に対して、少なくとも部分的に後方に延在する外側領域を有し得る。例えば、当接面は、長さ方向にカーブしていてもよく、例えば、弧状の形態を有していてもよい。
【００１４】
使用する際、ユーザの親指の少なくとも部分を収容し得るエンクロージャを少なくとも部分的に確定し得る。位置形状は、把持部と一体であってよい。
【００１５】
把持部の指受け入れ面は、使用する際、ユーザの少なくとも一本の指の少なくとも部分を受け入れる形状及び／またはサイズを有し得る。指受け入れ面は、ユーザの最大２本の指、例えば、人差し指及び中指、好ましくは一本の指だけ、例えば、人差し指、の少なくとも部分を受け入れる形状及び／またはサイズを有していてもよい。（親指以外の）残りの指は、使用する際、喉頭鏡のハンドルに配置され得る。
【００１６】
指受け入れ面は、使用する際、ユーザに向かわない面を含んでいてもよく、ブレードが延在する方向と実質的に同じ方向に向かう面を含んでいてもよい。この面は、上記した親指受け入れ面に対して反対の方向に向かい得る。この面は、指の中間部分、例えば、中間指骨に対応する指の部分、によって接触されてもよい。この構成において、近位指骨及び遠位指骨に対応する指の部分は、喉頭鏡のブレード及び本体と実質的に交差する中間面と実質的に交差し得る把持部の側面に接し得る。
【００１７】
指受け入れ面は、ユーザの指の少なくとも部分によって係合する位置形状を含み得る。位置形状は、例えば、ディスプレイ画面コンポーネント及び／またはハンドルに向かうユーザの指の移動に逆らうように適用され得る。位置形状は、ディスプレイ画面コンポーネント及びハンドルに向かうユーザの指の移動に逆らうように適用され得る。位置形状は、使用する際、ユーザの一方または両方の側部、または、指の少なくとも部分に接触する当接面を含み得る。位置形状は、例えば、上方への突出、隆起、または畝などの形態であってよい。
【００１８】
指受け入れ面は、位置形状によって、少なくとも１つの側部に、好ましくは両方の側部に、接していてもよい。指受け入れ面は、位置形状に対して窪んでいてもよい。指受け入れ面は、ユーザの少なくとも一本の指の少なくとも部分を受け入れる窪みを含んでいてもよい。窪みは、位置形状を形成する上方への突出または縁によって、少なくとも１つの側部、好ましくは両方の側部に接していてもよい。縁または上方への突出は、喉頭鏡のブレード及び本体と実質的に交差する中間面に対し、把持部を横切って延在してもよい。窪み、及び、上方への突出または縁は、ユーザの少なくとも一本の指の少なくとも部分を受け入れるエンクロージャを少なくとも部分的に画定してもよい。
【００１９】
把持部は、ユーザによる喉頭鏡の把持を容易にするように適用され得る。把持部は、ユーザの手と喉頭鏡との間の接触摩擦を増大するように適用され得る。
【００２０】
把持部は、喉頭鏡のディスプレイ画面収容部及び／または本体の残りの部分と同じマテリアルから形成され得る。喉頭鏡は、ディスプレイ画面収容部、本体及び把持部を画定するコンポーネントを含み得る。代替的に、把持部は、喉頭鏡のディスプレイ画面収容部及び／または本体の残りの部分と異なるマテリアルを含み得る。当該状況において、喉頭鏡は、単一の複合構成を有する把持部、本体及びディスプレイ画面収容部を画定するコンポーネントを含んでいてもよく、単一の鋳造プロセスの部分として形成されてもよい。複合構成の形成に使用される鋳造プロセスは、二段階射出鋳造プロセスまたはオーバーモールディングプロセスであってよい。
【００２１】
把持部は、喉頭鏡のディスプレイ画面収容部及び／または本体の残りの部分に対して比較的軟らかいマテリアルを含み得る。把持部は、喉頭鏡のディスプレイ画面収容部及び／または本体の残りの部分よりも摩擦係数が高いマテリアルを含み得る。把持部は、粗い面を含んでいてもよく、例えば、把持部に配置される複数の上方への突出及び／または窪みを形成してもよい。粗い面は、喉頭鏡のディスプレイ画面収容部及び／または本体の残りの部分と同じマテリアルで形成されていてもよく、喉頭鏡のディスプレイ画面収容部及び／または本体の残りの部分と異なるマテリアルで形成されていてもよい。把持部は、ディスプレイ画面コンポーネント及び／またはハンドルに対して移動可能であってよく、ディスプレイ画面コンポーネント及びハンドルの中間の所望の位置にユーザが把持部を配置することができるように、異なる位置に固定されてもよい。
【００２２】
ハンドル部は、長細い形状であってよく、一般的に円筒または円錐の形状であってよい。ハンドルは、少なくとも部分的にカーブしたプロファイルを有していてもよいし、好ましくは、少なくとも一本の関連する指、及び、使用する際、ユーザの手のひらを受け入れる人間工学的輪郭を有していてもよい。ハンドルは、本質的に、実質的な空洞であってよい。
【００２３】
ディスプレイ画面収容部は、喉頭鏡の少なくとも本体と一体に形成されていてもよい。ディスプレイ画面収容部及び／またはディスプレイ画面コンポーネントは、例えば、喉頭鏡の本体を分解または損壊することなく、喉頭鏡の本体から取り外しできなくてもよい。喉頭鏡は、喉頭鏡のディスプレイ画面収容部の部分及び喉頭鏡の本体の部分を画定する少なくとも１つの筐体コンポーネントを含んでいてもよい。この構成は、取り外し可能なディスプレイ画面アセンブリをもつ喉頭鏡と比較して、製造コストを低減する。
【００２４】
喉頭鏡ブレードは、例えば、二段階射出鋳造プロセスの部分として、本体にオーバーモールドされてもよい。ブレードは、本体に固定されてもよい。例えば、ブレードは、ねじなどの締結手段によって本体に装着されてもよい。代替的に、ブレードは、筐体コンポーネントが所定の位置に保持されるように動作するように、複数の筐体コンポーネントによって締結されてもよい。ブレードは、少なくとも１つの補強領域を含んでいてもよい。補強領域は、金属マテリアルを含んでもよい。ブレードは、金属、プラスチックまたは、これらの組み合わせで形成されていてもよい。
【００２５】
喉頭鏡が、喉頭鏡のディスプレイ画面収容部の部分、喉頭鏡の本体の部分、及び、喉頭鏡のブレードの部分を画定する少なくとも１つの単一の筐体コンポーネントを含む構成が想定される。この構成は、低価格で製造され、廃棄可能な装置としての使用に適しているロバストなアセンブリを提供する従来技術に対して重大な効果を提供する。
【００２６】
本発明の第２態様によれば、本体、本体の遠位端から延在する喉頭鏡ブレード、及び、本体の近位端から延在するディスプレイ画面収容部を含む喉頭鏡を提供する。喉頭鏡は、本体、喉頭鏡ブレード、及びディスプレイ画面収容部の各々の少なくとも部分を画定する少なくとも１つの単一の筐体コンポーネントを含む。
【００２７】
本発明の第２態様による喉頭鏡は、本体、喉頭鏡ブレード及びディスプレイ画面収容部の各々の少なくとも部分を画定する少なくとも１つの単一の筐体コンポーネントを、喉頭鏡が含むので、有利である。この構成は、低価格で製造され、廃棄可能なデバイスとしての使用に適した、低減された数のコンポーネントを使用して、ロバストなアセンブリを提供し、従来技術と比較して重大な効果を提供する。廃棄可能な喉頭鏡、即ち、一回の使用の後廃棄され得る喉頭鏡、は、複数回使用されるデバイスと関連する汚染リスクを除去し得る。さらに、単一構成は構築に関連する弱点（例えば、別個のコンポーネントの間の接続部の領域に存在する弱点）を低減し、本体、喉頭鏡ブレード及びディスプレイ画面収容部を形成するために強度が高いマテリアル（例えば、補強プラスチックまたはガラス充填ＰＰＳ）を使用することと組み合わせると、特定のロバスト構成を提供し得る。
【００２８】
喉頭鏡は、少なくとも２つの単一の筐体コンポーネントを含むことができ、これらの少なくとも１つは、ディスプレイ画面収容部、喉頭鏡の本体、及び喉頭鏡ブレードの各々を少なくとも部分的に画定する。喉頭鏡は、任意の数の単一の筐体コンポーネントを含むことができ、任意の数の筐体コンポーネントは、ディスプレイ画面収容部、喉頭鏡の本体及び喉頭鏡ブレードの各々を少なくとも部分的に画定してもよい。複数の筐体コンポーネントは、筐体コンポーネントが係合するように、対応する係合形状を有する形状及びサイズを有し得る。筐体コンポーネントは、例えば、スナップフィットなどの相互に締結するように適用されている筐体コンポーネントの対応する形状によって、または、例えば、ねじなどの別個の締結コンポーネントによって、筐体コンポーネントは相互に締結されてもよい。筐体コンポーネントは、相互に分離可能であってもよいし、好ましい態様では、筐体コンポーネントは相互に固定的に締結されていてもよい。
【００２９】
筐体コンポーネントは、ディスプレイ画面収容部のディスプレイ画面コンポーネントを含むように、相互に組み合わせられてもよい。筐体コンポーネントは開口を画定し、開口を介して、ディスプレイ画面コンポーネントのディスプレイ画面が視認可能であってよい。開口は、単一の筐体コンポーネント、例えば、後方筐体コンポーネントの開口で画定されていてもよいし、少なくとも２つの筐体コンポーネントの開口部で画定されていてもよい。ディスプレイ画面コンポーネントは、筐体コンポーネントによって画定される開口を横切って、全体的に、または、少なくとも部分的に延在するディスプレイ画面に配置され得る。
【００３０】
喉頭鏡は、少なくとも２つの単一の筐体コンポーネント、本体、喉頭鏡ブレード及びディスプレイ画面収容部の各々の少なくとも部分を画定する第１筐体コンポーネント、及び、本体及びディスプレイ画面収容部の少なくとも部分を画定する第２筐体コンポーネントを含み得る。好ましい態様において、第２筐体コンポーネントは、喉頭鏡ブレードが少なくとも第１及び第２筐体コンポーネントによって画定されるように、喉頭鏡ブレードの少なくとも部分を画定する。
【００３１】
喉頭鏡は少なくとも２つの側部筐体コンポーネントを含んでいてもよく、本体及び喉頭鏡ブレードに交差する中間面に対し、喉頭鏡の本体及びディスプレイ画面収容部の各々の側部を少なくとも部分的に画定する。喉頭鏡は開口を画定する後方筐体コンポーネントを含んでいてもよく、開口を介して、ディスプレイ画面コンポーネントのディスプレイ画面を視認可能である。例えば、後方筐体コンポーネントは、ディスプレイ画面コンポーネントの露出面を囲んでいてもよい。好ましい態様において、喉頭鏡は第１及び第２側部筐体コンポーネント及び挿入された後方筐体コンポーネントを含む。これらの筐体コンポーネントは、ディスプレイ画面収容部及び／または喉頭鏡の本体の外部を画定するディスプレイ画面コンポーネント以外の唯一のコンポーネントであってよい。
【００３２】
後方筐体コンポーネントは、上記したように、把持部の親指受け入れ部を、部分的に、または、実質的に画定してもよいし、関連する位置形状を有していてもよい。側部筐体コンポーネントの少なくとも１つは、上記したように、把持部の指受け入れ部を画定してもよいし、関連する位置形状を有していてもよい。
【００３３】
筐体コンポーネントは、プラスチックマテリアルで形成されていてもよいし、射出鋳造によって形成されてもよい。筐体コンポーネントは、電子コンポーネントを収容するように適用されていてもよいし、例えば、筐体コンポーネントは、電子コンポーネントを収容する内部キャビティを少なくとも部分的に画定してもよい。筐体コンポーネントの少なくとも１つの内面は、内部キャビティ内に電子コンポーネントを維持する維持形状を有していてもよい。
【００３４】
少なくとも１つの筐体コンポーネントは、電子コンポーネントを動作させる、例えば、押下可能ボタンなどのスイッチを受け入れる開口を画定する形状を有していてもよい。開口は、単一の筐体コンポーネントに形成されていてもよいし、少なくとも２つの筐体コンポーネントは、スイッチを受け入れる開口を画定するように組み合わせられた対応する開口部を含んでいてもよい。
【００３５】
喉頭鏡は、ディスプレイ画面コンポーネントに画像信号を送信可能なカメラを含んでいてもよい。カメラは静止画像及び／またはビデオシーケンス画像を捕捉するように適用されていてもよい。カメラは、ビデオカメラであってよい。カメラは、喉頭鏡ブレードに受け入れられる形状及びサイズであってよい。
【００３６】
カメラは、好ましくは、喉頭鏡ブレードの開口を介して動作する、喉頭鏡ブレードの内部に、収容される。例えば、カメラのレンズは、喉頭鏡ブレードの開口に収容されていてもよい。カメラは、喉頭鏡ブレードの先端に近い領域に配置されていてもよい。カメラは、喉頭鏡ブレードの内面に配置されていてもよい。喉頭鏡ブレードは、喉頭鏡ブレードに沿って長手方向に延在するカメラ収容部を含んでいてもよい。カメラ収容部は、カメラ収容部が喉頭鏡の内部空洞と連通するように、実質的に空洞であってよい。カメラ収容部は、患者の喉頭通路に合うように、カーブしたプロファイルを有していてもよく、気管チューブのガイド部を画定してもよい。喉頭鏡ブレードは、例えば、気管チューブのＬ形状ガイドを形成するように配置されたカメラ収容部及びブレード部を含んでいてもよい。喉頭鏡ブレードは、少なくとも第１及び第２筐体コンポーネントによって画定されていてもよい。ブレード部は、第１筐体コンポーネントによって実質的に画定されていてもよいし、カメラ収容部は、第１及び第２収容部によって実質的に画定されていてもよい。例えば、第１及び第２筐体コンポーネントは、例えば、カメラを収容する内部チェンバを含む、カメラ収容部を画定するように協働してもよい。
【００３７】
喉頭鏡ブレードは、喉頭鏡ブレードが本体と実質的に交差して延在するように、喉頭鏡の本体から外側に延在してもよい。本体と喉頭鏡ブレードとの間の遷移は、カーブしていてもよく、使用する際、患者の喉頭通路に損傷を与えることを少なくとも部分的に防いでもよい。本体と喉頭鏡ブレードとの間の遷移は、例えば、少なくとも４５°、少なくとも６０°、例えば、約９０°で延在する弧状で、滑らかであってよい。喉頭鏡ブレードは、使用する際、患者の喉頭通路に喉頭鏡ブレードを容易に挿入することができるように、好ましくは、長手方向に沿ってカーブしている。喉頭鏡ブレードは、喉頭鏡ブレードの遠位部が本体に向かってカーブするように、長手方向に沿ってカーブしていてもよい。喉頭鏡ブレードは、先端を有する自由端を含んでいてもよい。自由端の先端は丸いプロファイルを有していてもよい。
【００３８】
ディスプレイ画面コンポーネントは、ユーザ要求に適合する方向、画素サイズ及び／またはカラー性能を有するディスプレイ画面を有していてもよい。ディスプレイ画面は、これらの態様の少なくとも１つで調整可能であってよく、好ましい実施例において、ディスプレイ画面は調整可能ではなく、固定された構成を有している。好ましい態様において、ディスプレイ画面は、主軸が、喉頭鏡のブレード及び本体が実質的に交差する中間面に実質的に交差するように、ランドスケープ方向であってよい。ディスプレイ画面は５ｃｍ〜１５ｃｍ、または７ｃｍ〜１３ｃｍの幅を有していてもよい。ディスプレイ画面は、３ｃｍ〜１３ｃｍ、または５ｃｍ〜１１ｃｍの高さを有していてもよい。ディスプレイ画面はグレイスケールであってよい。
【００３９】
ディスプレイ画面コンポーネントは、ＬＣＤディスプレイ画面を含んでいてもよいし、適切なディスプレイ画面の何れか他のタイプを含んでいてもよい。ディスプレイ画面はフレキシブルであってよい。ディスプレイ画面はタッチスクリーン機能を有していてもよい。ディスプレイ画面は、例えば、有線接続または回路基板を介して、カメラと接続していてもよい。ディスプレイ画面及びカメラは、これらのコンポーネントの間に高価なコネクタを必要としない、フレキシブルな回路基板に搭載されてもよい。ディスプレイ画面は、例えば、２．４ＧＨｚ無線接続などの無線接続を介して、カメラとリモートに接続されてもよい。
【００４０】
喉頭鏡は、カメラによって取得された画像を記憶する電子メモリを含んでいてもよい。メモリは、例えば、取り外し不可のチップの形態、または、例えば、ＳＤカード、マイクロＳＤなどのメモリカードなどの取り外し可能なデバイスの形態の適切な電子メモリであってよい。電子メモリは、不揮発性メモリであってよい。好ましい態様では、電子メモリはフラッシュメモリである。
【００４１】
電子メモリは、喉頭鏡にプレインストールされていてもよいし、ユーザによって挿入可能であってもよい。電子メモリは、喉頭鏡から取り外し可能であってよい。電子メモリは、患者を識別するラベルを含んでいてもよい。例えば、ラベルは、氏名または番号などの患者を示す情報がインクで記載されている面の形態であってよい。ラベルは、ラベルがユーザによって引っ張られると、喉頭鏡から電子メモリを取り外すように、ユーザによって把持可能であってよい。ラベルは喉頭鏡から外側に突出していてもよく、ユーザによって把持可能なラベルであってよい。ラベルはフレキシブルであってよい。
【００４２】
喉頭鏡はマイクロコントローラを含んでいてもよい。マイクロコントローラは、ディスプレイ画面コンポーネント及び／またはカメラを初期化するために使用されてもよい。好ましい態様において、マイクロコントローラはカメラ及びディスプレイ画面コンポーネントを初期化するためだけに使用されてもよいし、使用する際に、カメラ及びディスプレイ画面コンポーネントの間で伝送されるデータを処理しないように構成されていてもよい。マイクロコントローラの限定された機能はマイクロコントローラに課される要求を低減し、従来技術で使用されるよりも高価でないマイクロコントローラを使用し得る。本発明に必要とされる高価でないマイクロコントローラは、一回限りの使用で廃棄可能な喉頭鏡の製造を促進し得る。マイクロコントローラは、カメラ及びディスプレイ画面コンポーネントの間の伝送距離が短く、例えば、３００ｍｍ以下で、カメラ及びディスプレイ画面コンポーネントを初期化するためだけに使用されてもよい。
【００４３】
本発明の第３の態様によれば、ディスプレイ画面コンポーネント、ディスプレイ画面コンポーネントに画像を伝送するカメラ、及び、カメラ及び／またはディスプレイ画面コンポーネントを初期化するように構成されたマイクロコントローラを含む喉頭鏡を提供する。マイクロコントローラは、使用する際に、カメラ及びディスプレイ画面コンポーネントの間で伝送されるデータを処理しないように構成される。
【００４４】
本発明の第３態様による喉頭鏡は、マイクロコントローラが、カメラ及び／またはディスプレイ画面コンポーネントを初期化するように構成され、使用する際、カメラ及びディスプレイ画面コンポーネントの間で伝送されるデータを処理しない、点で有利である。これによれば、マイクロコントローラによって画像データを処理する必要なく、ディスプレイ画面コンポーネント及びカメラを相互に協働させることができる。本発明に必要とされる高価でないマイクロコントローラは、一回限りの使用で廃棄可能な喉頭鏡の製造を容易にする。
【００４５】
ディスプレイ画面の初期化は、ディスプレイ画面のパワー制御設定、カメラから受信される入力信号の形態、画像データのフォーマット及び／またはディスプレイ画面コンポーネント及びマイクロコントローラの間のインターフェイスの形態に関する情報を、ディスプレイ画面に提供するマイクロコントローラを含んでいてもよい。カメラから受信される画像データ及び／または入力信号の形態に関する情報は、方向、サイズ、カラー、画素配置、例えば、ガンマ補正などの画像補正、全体画像データフォーマットに関する情報を含んでいてもよい。
【００４６】
カメラの初期化は、カメラのパワー制御設定、カメラのレンズ設定、ディスプレイ画面に提供される出力信号の形態、カメラによる画像処理及び画像データのフォーマット及び／またはカメラ及びマイクロコントローラの間のインターフェイスの形態に関する情報をカメラに提供するマイクロコントローラを含んでいてもよい。カメラに提供される画像データ及び／または出力信号の形態に関する情報は、方向、サイズ、カラー、画素配置、画像補正及び全体画像データフォーマットに関する情報を含んでいてもよい。
【００４７】
ディスプレイ画面及びカメラは、例えば、初期化の間、同じ入力電圧が供給されるように適用され、レギュレータの使用を低減することができる。好ましい態様において、ディスプレイ画面にカメラによって供給される画像データは、３２０×２４０〜６４０×４８０であり、データフォーマットは、例えば、ＲＧＢ５６５などのＲＧＢである。
【００４８】
本発明の態様の各々の好ましい特徴は、適切な本発明の他の態様にも同様に適用され得る。
【００４９】
本発明の実際的な態様は、添付の図面を参照して以下で詳細に説明される。
【図面の簡単な説明】
【００５０】
【図１】本発明の第１態様によるビデオ喉頭鏡の前面展開図である。
【図２】図１の喉頭鏡の後方展開図である。
【図３】（ａ）図１の喉頭鏡の第１収容部の前面図である。（ｂ）図３Ａの第１収容部の後方図である。
【図４】（ａ）図１の喉頭鏡の第２収容部の前面図である。（ｂ）（ａ）の第２収容部の後方図である。
【図５】（ａ）図１の喉頭鏡の第３収容部の前面図である。（ｂ）（ａ）の第３収容部の後方図である。
【図６】組み立て構成の図１の喉頭鏡の後方斜視図である。
【図７】図６の喉頭鏡の前面図である。
【図８】図８の喉頭鏡の後方図である。
【発明を実施するための形態】
【００５１】
用語「上」、「下」、「後」、「前」などが、図面を参照して、以下の本発明の説明に使用されるが、本発明は、特定の方向に限定されず、ビデオ喉頭鏡の方向は使用の際に変更され得る。したがって、これらの用語は、一般的な参照のフレームで、ビデオ喉頭鏡の他の特徴に関して、相対的な用語としてだけ解釈されるべきである。
【００５２】
一般的に１０で示される、本発明による喉頭鏡の展開した構成を、図１及び図２に示し、組み立てた構成を、図６〜図８に示す。喉頭鏡１０は、第１筐体コンポーネント１２、第２筐体コンポーネント１４、第３筐体コンポーネント１６を含み、組み立てられると、これらは単一の喉頭鏡筐体を形成する。
【００５３】
第１筐体コンポーネント１２を、図３（ａ）及び３（ｂ）に、分離して示す。第１筐体コンポーネント１２は、喉頭鏡のディスプレイを収納するディスプレイ収納部１８、ユーザによって把持され得る本体部２０、患者の気管に挿入されるブレード部２２、及び、カメラ及び／またはライトを収納するカメラ収納部２４を含む。第１筐体コンポーネント１２は、さらに、例えば、ねじなどの対応する締結手段を受け入れる複数の開口３８を含む。
【００５４】
ディスプレイ収納部１８は、第１筐体コンポーネント１２の上端に配置され、実質的に矩形のプロファイルを有する。ディスプレイ筐体部１８は実質的に空洞であり、喉頭鏡１０が組み立てられると、第２筐体コンポーネント１４の対応部４０を受け入れる形状及びサイズを有する周辺エッジをもつ開放面を、１つの側面に有する。ディスプレイ筐体部１８は、喉頭鏡１０が組み立てられると、第３筐体コンポーネント１６の対応部と係合する形状及びサイズを有する開放後面を有する。
【００５５】
ディスプレイ筐体部１８の前面の領域は、実質的に半楕円形状である切り欠き２６を含む。切り欠き２６は、喉頭鏡１０が組み立てられると、スイッチボタン５８の少なくとも部分を受け入れる形状及びサイズを有する。ディスプレイ筐体部１８の後面の上部領域は、第２筐体コンポーネント１４の対応する突出４６と係合する窪み２７を含む。
【００５６】
本体部２０は、ディスプレイ筐体部１８と一体的に形成され、ディスプレイ筐体部１８から下方に延在する。本体部２０は、実質的に細長い形状を有し、使用する際、ユーザの手に適合するようにカーブしたプロファイルを有する。本体部２０は本質的に、実質的な空洞であり、本体部２０の後面の上部領域は、少なくとも、喉頭鏡１０が組み立てられると、第３筐体コンポーネント１６の対応領域を受け入れる形状及びサイズを有する。本体部２０は、喉頭鏡１０が組み立てられると、第２筐体コンポーネント１４の対応部と係合する形状及びサイズを有する周辺エッジを有する開放面を、１つの側面に有する。
【００５７】
本体部２０の前面の上部領域は、喉頭鏡１０が組み立てられると、第２筐体コンポーネントの対応する把持部５０を受け入れる形状及びサイズを有する切り欠き２８を含む。
【００５８】
ディスプレイ収納部１８及び本体部２０は、ディスプレイ収納部１８の部分が実質的に交差する角度で本体部２０の上部領域から外側側方に延在する向きを有する。
【００５９】
ブレード部２２は、本体部２０の下部領域から外側に延在し、本体部２０の下部領域と一体に形成されている。ブレード部２２は、実質的に前方に本体部２０から外側に延在し、ブレードの上面３０が本体部２０に向かう、長手方向に沿ったカーブである。ブレード部２２は、ブレード部２２の自由端３４に向かってカーブする下面３２を含み、上面３０及び下面３２は、ブレードチップ３４の近くで収束する。ブレードチップ３４は、一般的に、丸みをもつ、即ち、尖っていないリップ構造を含む。ブレード部２２は、幅に沿って次第に細くなり、ブレードチップ３４は、ブレード部２２と本体部２０との間のインターフェイスよりも狭い。
【００６０】
カメラ収容部２４は、実質的に空洞であり、本体部２０及びブレード部２２の各々と一体に形成され、ブレードチップ３４に向かって、本体部２０の近位端からブレード部２２の下面３２に沿って延在する。カメラ収容部２４は、丸いアーチ状のプロファイルを有し、カメラ収容部２４の下部領域は窪み３６を含み、第２筐体コンポーネント１４の対応部４４を受け入れるサイズを有する。カメラ収容部２４の内部空洞は、本体２０の内部空洞と流体で連通し、これにより、カメラ収容部２４及び本体部２０内にカメラ及び関連する電子機器を保持することを可能とする。カメラ収容部のチップ３７は開放され、喉頭鏡１０内に収容されるカメラに隠れのない視界を提供する。
【００６１】
第２筐体コンポーネント１４を、分離して、図４（ａ）及び図４（ｂ）に示す。第２筐体コンポーネント１４は、ビデオ喉頭鏡のディスプレイを収容するディスプレイ収容部４０、ユーザによって把持され得る本体部４２、及び、カメラ及び／またはライトを収容するカメラ収容部４４を含む。ディスプレイ収容部４０は、第２筐体コンポーネント１４の上端に配置され、ディスプレイ収容部４０の前面４１は実質的に矩形のプロファイルを有する。第２筐体コンポーネント１４のディスプレイ収容部４０は第１筐体コンポーネント１２のディスプレイ収容部１８よりも幅が狭いため、より細長く見える。ディスプレイ収容部４０は実質的に空洞であり、喉頭鏡１０が組み立てられると、第３筐体コンポーネント１６の対応部分を受け入れる形状及び大きさを有する、一側面における開放面、及び、開放後面をもつ。第２筐体コンポーネント１４の一側面における開放面は、喉頭鏡１０が組み立てられると、第１筐体コンポーネント１２の対応部分１８と係合する形状及び大きさを有する。
【００６２】
ディスプレイ収容部４０の最上領域は、スナップフィットを有する、第１筐体コンポーネント１２のディスプレイ部分１８の対応窪み２７と係合する側方に延在する突出４６を含む。ディスプレイ収容コンポーネント４０の前面の領域は、実質的に半楕円形の切り欠き４８を含む。切り欠き４８は、喉頭鏡１０が組み立てられると、スイッチボタン５８の少なくとも部分を受け入れる形状及び大きさを有する。喉頭鏡１０が組み立てられると、切り欠き２６及び切り欠き４８は、スイッチボタン５８の周囲全体を実質的に囲むように対応する。
【００６３】
本体部４２は、ディスプレイ収容部４０と一体的に形成され、ディスプレイ収容部４０から下方に延在している。本体部４２は、実質的に細長く、使用する際にユーザの手に適合するようにカーブしたプロファイルを有する。本体部４２は、実質的に空洞であり、本体部４２の少なくとも上部領域は、喉頭鏡１０が組み立てられると、第３筐体コンポーネント１６の対応領域を受け入れる形状及び大きさを有する。本体部４２は、喉頭鏡１０が組み立てられると、第１筐体コンポーネント１２の対応部分と係合する形状及び大きさを有する開放面を一側面に有する。本体部４２の前面の上部領域は、喉頭鏡１０が組み立てられると、第１筐体コンポーネント１２の対応する切り欠き２８内に受け入れられる形状及び大きさを有する把持部５０を含む。把持部５０は、本体部４２の前面に直立する形態を有し、本体部４２と一体に形成される。直立形状が隆起などのグローバルな形態を有するように、直立形状は本体部４２から隆起している。把持部５０の前面は、使用する際、ユーザの人差し指を受け入れる形状及びサイズを有する輪郭を有する輪郭面に沿う。輪郭面は、上部隆起及び下部隆起を有し、その間に、一般的に窪んだ面を有する。上部隆起及び下部隆起は、把持部５０を横切るように延在し、これにより、使用する際に、ユーザの人差し指が長手方向に移動するのを妨げる。輪郭面の側部エッジは突出をもたず、ユーザの人差し指に快適な位置を提供する。
【００６４】
カメラ収容部４４は、本体部４２の下部領域と一体に形成され、本体部４２の下部領域から下方に延在する。カメラ収容部の上部領域５１は、その長さに沿ってカーブし、カメラ収容部４４の下部領域４３は、実質的に空洞である。下部領域５４は、下部領域５４の上面５２が本体部４２に向かうように、実質的に前方に、上部領域５１から外側に延在する。下部領域５４は、喉頭鏡１０が組み立てられると、第１筐体コンポーネント１２の対応領域と係合する形状及び大きさである開放面を一側面に含む。下部領域５４は、第１筐体コンポーネント１２のカメラ収容部２４の窪み３６内に受け入れられる形状及び大きさを有し、喉頭鏡１０が組み立てられると、カメラ収容部２４、４４によってカメラが包含される。
【００６５】
分離した第３筐体コンポーネント１６を、図５（ａ）及び図５（ｂ）に示す。第３筐体コンポーネント１６は、画面受け入れ部５６及び喉頭鏡１０を動作させるためのスイッチボタン５８を含む。画面受け入れ部５６の上部領域は、実質的に矩形のプロファイルを有し、実質的に立方体の形状を有する。上部領域は開口６０を含み、開口６０は画面を受け入れる形状及び大きさを有する。画面受け入れ部５６は、画面周囲全体を実質的に囲む周辺を形成する。
【００６６】
画面受け入れ部５６の下部領域は、実質的に三角形であり、カーブしたエッジを有する。喉頭鏡を使用している間、外側に向かう画面受け入れ部５６の下部領域の面がフラットであるか、もしくは窪み、これにより、喉頭鏡１０を使用している間、下部領域にユーザの親指が位置することを可能とする。画面受け入れ部５６の上部及び下部領域は、単一のコンポーネントの部分として一体に形成される。画面受け入れ部５６は、喉頭鏡１０を使用している間、後方に向かう面に上方への突出６１を含む。突出６１は、喉頭鏡１０を使用している間、ユーザの親指の上部領域によって係合されるような形状及び大きさを有する。
【００６７】
喉頭鏡１０が組み立てられると、スイッチボタン５８は、実質的に楕円形であり、切り欠き２６、４８に受け入れられる形状及び大きさを有する。スイッチボタン５８は、実質的に平面の維持部材６２によって、画面受け入れ部５６の後面に接続されていてもよいし、切り欠き２６、４８を通してアクセス可能な別個のコンポーネントとして形成されていてもよい。
【００６８】
第１筐体コンポーネント１２、第２筐体コンポーネント１４、第３筐体コンポーネント１６は、プラスチックマテリアルで形成され、射出形成で形成される。
【００６９】
喉頭鏡１０を組み立てる前に、ディスプレイ画面及び関連する電子機器が組み立てられ、ディスプレイ画面は画面受け入れ部５６に挿入される。第１筐体コンポーネント１２、第２筐体コンポーネント１４、第３筐体コンポーネント１６が統合され、第３筐体コンポーネント１６の画面受け入れ部５６は、第１筐体コンポーネント１２及び第２筐体コンポーネント１４のディスプレイ収容部１８、４０に受け入れられる。筐体コンポーネント１２、１４、１６は、対応する開口３８を介して、適切な締結手段を挿入することで、結合される。組み立てられると、喉頭鏡１０は、カメラ及びディスプレイ画面を含む、適切な電子機器コンポーネントを収容する単一の統合された筐体である。画面受け入れ部５６の下部領域及び把持部５０により、ディスプレイ画面のすぐ下にユーザの親指及び人差し指を適切な位置に置くことが可能となり、本体部２０の他の部分は、ユーザの手のひら及び他の指によって確実に保持され得る。当該配置により、ディスプレイ画面の視認を妥協することなく、喉頭鏡１０のより簡単な操作が可能となる。
【００７０】
本発明の好ましい実施例において、喉頭鏡のカメラ及びディスプレイ画面はフレキシブルな回路基板に搭載され、これらのコンポーネントの間の高価なコネクタが不要となる。カメラ及びディスプレイ画面の間のデータを処理するためにマイクロプロセッサが使用される、ビデオ機能を有する従来の喉頭鏡と異なり、本発明の喉頭鏡の好ましい実施例は、カメラ及び画面の間のデータ伝送に関与しないマイクロコントローラを含み、カメラ及び画面の初期化を実行する。
【図１】
2018515273.tif 000003
【図２】
2018515273.tif 000004
【図３】
2018515273.tif 000005
【図４】
2018515273.tif 000006
【図５】
2018515273.tif 000007
【図６】
2018515273.tif 000008
【図７】
2018515273.tif 000009
【図８】
2018515273.tif 000010
【国際調査報告】
2018515273.tif 000011
2018515273.tif 000012
2018515273.tif 000013